(57)【要約】【課題】本発明は、撮影光学系を経由してきた被写体光による被写体像を固体撮像素子上に結像させて該被写体像を表す画像データを得るデジタルカメラに関し、撮影者の意図する写真を正確に撮影することのできるデジタルカメラを提供することを目的とする。【解決手段】構図決定操作を行った後本撮影操作を行うまでの間、構図とスルー画像とを重畳して画像表示部に表示させ、構図決定操作を行った時点で被写体までの距離が測定されて、本撮影操作では、構図決定操作を行った時点で測定された距離に応じたピント調整を行う。【選択図】　　　　図４
2004140798.tif 000002
【特許請求の範囲】
【請求項１】
撮影光学系を経由してきた被写体光による被写体像を固体撮像素子上に結像させて該被写体像を表す画像データを得るデジタルカメラにおいて、
　構図決定操作に応じて構図を表すフリーズ画像データを得て一旦記憶するとともに本撮影操作に応じて所望の被写体の画像データを得る撮影メモリモードを含む複数の撮影モードの中から任意の撮影モードに切り替えるモード切替部と、
　画像データに基づく画像を表示する画像表示部と、
　被写体までの距離を測定する距離測定部と、
　前記距離測定部で測定された距離に応じてピント調整を行うピント調整部とを備え、
　前記画像表示部は、前記撮影メモリモードにおいて、前記構図決定操作を行った後本撮影操作を行うまでの間、前記構図決定操作により得られたフリーズ画像データに基づく構図と前記固体撮像素子上に現在結像している被写体像を表すスルー画像データに基づくスルー画像とを重畳して表示するものであり、
　前記ピント調整部は、前記撮影メモリモードにおいて、構図決定操作を行った時点で前記距離測定部に距離測定を行わさせ、本撮影操作では、構図決定操作を行った時点で測定された距離に応じたピント調整を行うものであることを特徴とするデジタルカメラ。
【請求項２】
撮影光学系を経由してきた被写体光による被写体像を固体撮像素子上に結像させて該被写体像を表す画像データを得るデジタルカメラにおいて、
　構図決定操作に応じて構図を表すフリーズ画像データを得て一旦記憶するとともに本撮影操作に応じて所望の被写体の画像データを得る撮影メモリモードを含む複数の撮影モードの中から任意の撮影モードに切り替えるモード切替部と、
　画像データに基づく画像を表示する画像表示部と、
　被写体の輝度を測定する輝度測定部と、
　前記輝度測定部で測定された輝度に応じた露光調節を行う露光調節部とを備え、
　前記画像表示部は、前記撮影メモリモードにおいて、前記構図決定操作を行った後本撮影操作を行うまでの間、前記構図決定操作により得られたフリーズ画像データに基づく構図と前記固体撮像素子上に現在結像している被写体像を表すスルー画像データに基づくスルー画像とを重畳して表示するものであり、
　前記露光調節部は、前記撮影メモリモードにおいて、構図決定操作を行った時点で前記輝度測定部に輝度測定を行わさせ、本撮影操作では、構図決定操作を行った時点で測定された輝度に応じた露光調節を行うものであることを特徴とするデジタルカメラ。
【請求項３】
撮影光学系を経由してきた被写体光による被写体像を固体撮像素子上に結像させて該被写体像を表す画像データを得るデジタルカメラにおいて、
　構図決定操作に応じて構図を表すフリーズ画像データを得て一旦記憶するとともに本撮影操作に応じて所望の被写体の画像データを得る撮影メモリモードを含む複数の撮影モードの中から任意の撮影モードに切り替えるモード切替部と、
　画像データに基づく画像を表示する画像表示部と、
　被写体までの距離を測定する距離測定部と、
　前記距離測定部で測定された距離に応じてピント調整を行うピント調整部と、
　被写体の輝度を測定する輝度測定部と、
　前記輝度測定部で測定された輝度に応じた露光調節を行う露光調節部とを備え、
　前記画像表示部は、前記撮影メモリモードにおいて、前記構図決定操作を行った後本撮影操作を行うまでの間、前記構図決定操作により得られたフリーズ画像データに基づく構図と前記固体撮像素子上に現在結像している被写体像を表すスルー画像データに基づくスルー画像とを重畳して表示するものであり、
　前記ピント調整部は、前記撮影メモリモードにおいて、構図決定操作を行った時点で前記距離測定部に距離測定を行わさせ、本撮影操作では、構図決定操作を行った時点で測定された距離に応じたピント調整を行うものであり、
　前記露光調節部は、前記撮影メモリモードにおいて、構図決定操作を行った時点で前記輝度測定部に輝度測定を行わさせ、本撮影操作では、構図決定操作を行った時点で測定された輝度に応じた露光調節を行うものであることを特徴とするデジタルカメラ。
【請求項４】
前記構図決定操作と前記本撮影操作との双方において操作される、半押しと全押しとの２段の操作が行なわれるシャッタレリーズボタンを備え、
　前記ピント調整部は、前記撮影メモリモードにおいて、前記構図決定操作における前記シャッタレリーズボタンの半押し操作に応じて前記距離測定部に距離測定を行なわさせるものであることを特徴とする請求項１又は３記載のデジタルカメラ。
【請求項５】
前記構図決定操作と前記本撮影操作との双方において操作される、半押しと全押しとの２段の操作が行なわれるシャッタレリーズボタンを備え、
　前記露光調節部は、前記撮影メモリモードにおいて、前記構図決定操作における前記シャッタレリーズボタンの半押し操作に応じて前記輝度測定部に輝度測定を行なわさせるものであることを特徴とする請求項２又は３記載のデジタルカメラ。
【請求項６】
前記本撮影操作に応じて撮影完了を通知する撮影完了通知部を備えたことを特徴とする請求項１から３のうちいずれか１項記載のデジタルカメラ。
【発明の詳細な説明】
【技術分野】
【０００１】
　本発明は、撮影光学系を経由してきた被写体光による被写体像を固体撮像素子上に結像させて該被写体像を表す画像データを得るデジタルカメラに関する。
【背景技術】
【０００２】
　第三者に撮影を依頼し、撮影を依頼する撮影依頼者が被写体となるような場面において、その撮影依頼者が意図する構図を第三者に知らせたとしても、必ずしもその撮影依頼者の狙い通りの構図の写真が得られるとは限られないといった問題がある。
【０００３】
　このような問題を解消するカメラとして、撮影依頼者による構図決定操作によって得られたフリーズ画像データに基づく構図と、固体撮像素子上に現在結像している被写体像を表すスルー画像データに基づくスルー画像とを重畳して表示させ、撮影者が構図にスルー画像を合わせることによって撮影依頼者の意図する構図で撮影することのできるカメラが提案されている（例えば、特許文献１参照）。
【特許文献１】特開平８−２９４０２５号公報
【発明の開示】
【発明が解決しようとする課題】
【０００４】
　上述した特許文献１に提案されたカメラによれば、撮影を依頼された第三者が、表示された構図にスルー画像を合致させてシャッタレリーズボタンを押下することによって、第三者に撮影を依頼した撮影依頼者は狙い通りの構図の写真を得ることができる。
【０００５】
　ここで、一般にＡＦロックおよびＡＥロックと呼ばれる機能を有するカメラが知られており、このようなカメラでは、シャッタレリーズボタンが半押し操作されることによって所望の被写体までの距離が測定されるとともに、その被写体の輝度が測定される。その後、シャッタレリーズボタンが半押しされた状態を保って構図を決定した上でシャッタレリーズボタンを全押し操作することによって、ピントと露光とが適正に調整された写真を得ることができる。
【０００６】
　ところが、撮影を依頼された第三者は、このようなＡＦロック機能やＡＥロック機能を使いこなせないことや、さらにはこれらの機能を意識しないで撮影することなどが考えられる。その結果、上述した、撮影依頼者の狙い通りの構図の写真を得ることのできるカメラであっても、例えばピントが抜けてしまったり、露出オーバーになってしまうおそれがある。
【０００７】
　本発明は、上記事情に鑑み、撮影者の意図する写真を正確に撮影することのできるデジタルカメラを提供することを目的とする。
【課題を解決するための手段】
【０００８】
　上記目的を達成する本発明のデジタルカメラのうちの第１のデジタルカメラは、
　撮影光学系を経由してきた被写体光による被写体像を固体撮像素子上に結像させてその被写体像を表す画像データを得るデジタルカメラにおいて、
　構図決定操作に応じて構図を表すフリーズ画像データを得て一旦記憶するとともに本撮影操作に応じて所望の被写体の画像データを得る撮影メモリモードを含む複数の撮影モードの中から任意の撮影モードに切り替えるモード切替部と、
　画像データに基づく画像を表示する画像表示部と、
　被写体までの距離を測定する距離測定部と、
　上記距離測定部で測定された距離に応じてピント調整を行うピント調整部とを備え、
　上記画像表示部は、上記撮影メモリモードにおいて、上記構図決定操作を行った後本撮影操作を行うまでの間、上記構図決定操作により得られたフリーズ画像データに基づく構図と上記固体撮像素子上に現在結像している被写体像を表すスルー画像データに基づくスルー画像とを重畳して表示するものであり、
　上記ピント調整部は、上記撮影メモリモードにおいて、構図決定操作を行った時点で上記距離測定部に距離測定を行わさせ、本撮影操作では、構図決定操作を行った時点で測定された距離に応じたピント調整を行うものであることを特徴とする。
【０００９】
　本発明のデジタルカメラのうちの第１のデジタルカメラは、構図決定操作を行った後本撮影操作を行うまでの間、構図とスルー画像とを重畳して画像表示部に表示されるものであるため、撮影を依頼された第三者が、構図決定操作が行われることによって表示された構図にスルー画像を合致させてシャッタレリーズボタンを押下することによって、第三者に撮影を依頼した撮影依頼者は狙い通りの構図の写真を得ることができる。さらに、本発明のデジタルカメラのうちの第１のデジタルカメラは、構図決定操作を行った時点で被写体までの距離が測定されて、本撮影操作では、構図決定操作を行った時点で測定された距離に応じたピント調整を行うものであるため、撮影を依頼された第三者が、上述した構図とスルー画像とを合致させてシャッタレリーズボタンを押下するにあたって、そのカメラのフォーカスポイントを意識しなくても、被写体にピントが合致した写真を撮影することができる。従って、撮影者の意図する写真を正確に撮影することのできるデジタルカメラが実現される。
【００１０】
　また、上記目的を達成する本発明のデジタルカメラのうちの第２のデジタルカメラは、
　撮影光学系を経由してきた被写体光による被写体像を固体撮像素子上に結像させてその被写体像を表す画像データを得るデジタルカメラにおいて、
　構図決定操作に応じて構図を表すフリーズ画像データを得て一旦記憶するとともに本撮影操作に応じて所望の被写体の画像データを得る撮影メモリモードを含む複数の撮影モードの中から任意の撮影モードに切り替えるモード切替部と、
　画像データに基づく画像を表示する画像表示部と、
　被写体の輝度を測定する輝度測定部と、
　上記輝度測定部で測定された輝度に応じた露光調節を行う露光調節部とを備え、
　上記画像表示部は、上記撮影メモリモードにおいて、上記構図決定操作を行った後本撮影操作を行うまでの間、上記構図決定操作により得られたフリーズ画像データに基づく構図と上記固体撮像素子上に現在結像している被写体像を表すスルー画像データに基づくスルー画像とを重畳して表示するものであり、
　上記露光調節部は、上記撮影メモリモードにおいて、構図決定操作を行った時点で上記輝度測定部に輝度測定を行わさせ、本撮影操作では、構図決定操作を行った時点で測定された輝度に応じた露光調節を行うものであることを特徴とする。
【００１１】
　本発明のデジタルカメラのうちの第２のデジタルカメラは、上述した第１のデジタルカメラと同様に、構図決定操作を行った後本撮影操作を行うまでの間、構図とスルー画像とを重畳して画像表示部に表示されるものであるため、第三者に撮影を依頼した撮影依頼者は狙い通りの構図の写真を得ることができる。さらに、本発明のデジタルカメラのうちの第２のデジタルカメラは、構図決定操作を行った時点で被写体の輝度が測定されて、本撮影操作では、構図決定操作を行った時点で測定された輝度に応じた露光調整を行うものであるため、撮影を依頼された第三者が、上述した構図とスルー画像とを合致させてシャッタレリーズボタンを押下するにあたって、被写体の輝度を意識しなくても、被写体の輝度に応じた露光が調整された写真を撮影することができる。従って、撮影者の意図する写真を正確に撮影することのできるデジタルカメラが実現される。
【００１２】
　また、上記目的を達成する本発明のデジタルカメラのうちの第３のデジタルカメラは、
撮影光学系を経由してきた被写体光による被写体像を固体撮像素子上に結像させてその被写体像を表す画像データを得るデジタルカメラにおいて、
　構図決定操作に応じて構図を表すフリーズ画像データを得て一旦記憶するとともに本撮影操作に応じて所望の被写体の画像データを得る撮影メモリモードを含む複数の撮影モードの中から任意の撮影モードに切り替えるモード切替部と、
　画像データに基づく画像を表示する画像表示部と、
　被写体までの距離を測定する距離測定部と、
　上記距離測定部で測定された距離に応じてピント調整を行うピント調整部と、
　被写体の輝度を測定する輝度測定部と、
　上記輝度測定部で測定された輝度に応じた露光調節を行う露光調節部とを備え、
　上記画像表示部は、上記撮影メモリモードにおいて、上記構図決定操作を行った後本撮影操作を行うまでの間、上記構図決定操作により得られたフリーズ画像データに基づく構図と上記固体撮像素子上に現在結像している被写体像を表すスルー画像データに基づくスルー画像とを重畳して表示するものであり、
　上記ピント調整部は、上記撮影メモリモードにおいて、構図決定操作を行った時点で上記距離測定部に距離測定を行わさせ、本撮影操作では、構図決定操作を行った時点で測定された距離に応じたピント調整を行うものであり、
　上記露光調節部は、上記撮影メモリモードにおいて、構図決定操作を行った時点で上記輝度測定部に輝度測定を行わさせ、本撮影操作では、構図決定操作を行った時点で測定された輝度に応じた露光調節を行うものであることを特徴とする。
【００１３】
　本発明の第３のデジタルカメラは、本発明の第１のデジタルカメラの特徴と本発明の第２のデジタルカメラの特徴を兼ね備えたものであり、撮影者の意図する写真を一層正確に撮影することができる。
【００１４】
　ここで、上記第１および第３のデジタルカメラにおいて、上記構図決定操作と上記本撮影操作との双方において操作される、半押しと全押しとの２段の操作が行なわれるシャッタレリーズボタンを備え、
　上記ピント調整部は、上記撮影メモリモードにおいて、上記構図決定操作における上記シャッタレリーズボタンの半押し操作に応じて上記距離測定部に距離測定を行なわさせるものであることが好ましい。
【００１５】
　このように構成することにより違和感のない操作で、距離測定および構図決定を行なうことができる。
【００１６】
　また、上記第２および第３のデジタルカメラにおいて、上記構図決定操作と上記本撮影操作との双方において操作される、半押しと全押しとの２段の操作が行なわれるシャッタレリーズボタンを備え、
　上記露光調節部は、上記撮影メモリモードにおいて、上記構図決定操作における上記シャッタレリーズボタンの半押し操作に応じて上記輝度測定部に輝度測定を行なわさせるものであることが好ましい。
【００１７】
　このように構成することにより違和感のない操作で、輝度測定および構図決定を行なうことができる。
【００１８】
　また、上記第１、第２、および第３のデジタルカメラは、上記本撮影操作に応じて撮影完了を通知する撮影完了通知部を備えたものであることが好ましい。
【００１９】
　このような撮影完了通知部を備えたデジタルカメラによれば、撮影者あるいは被写体となった人物が撮影完了を確認することができるため、撮影を依頼された第三者によってシャッタレリーズボタンが完全に押下されない場合に写真が得られないなどといった失敗を防止することができる。
【発明の効果】
【００２０】
　以上説明したように、本発明によれば、撮影者の意図する写真を正確に撮影することのできるデジタルカメラが提供される。
【発明を実施するための最良の形態】
【００２１】
　以下、本発明の実施形態について説明する。
【００２２】
　図１は、本発明の一実施形態のデジタルカメラを前面斜め上から見た外観斜視図である。
【００２３】
　図１に示すデジタルカメラ１０は、Ｃｈａｒｇｅ　Ｃｏｕｐｌｅｄ　Ｄｅｖｉｃｅ（ＣＣＤ）固体撮像素子上に被写体の像を結像させて、その被写体を表す画像データを信号として取り込むデジタルカメラである。
【００２４】
　このデジタルカメラ１０の前面には、撮影レンズ１１が備えられている。この撮影レンズ１１は、入射した被写体光を、内部に配置されたＣＣＤ固体撮像素子（ここでは図示せず）の撮影面上に結像させ、そのＣＣＤ固体撮像素子で被写体を表す画像データが生成される。
【００２５】
　また、このデジタルカメラ１０の前面には、撮影レンズ１１の左斜め上にフラッシュ調光窓１２、フラッシュ調光窓１２の左隣にフラッシュ発光窓１３、フラッシュ発光窓１３の下にセルフタイマＬＥＤ２５、および撮影レンズ１１の右斜め上に光学式ファインダ対物窓１４ａが備えられている。
【００２６】
　また、このデジタルカメラ１０の上面の右端には、シャッタレリーズボタン１５が備えられている。尚、背面上部に備えられ、上面に一部が突出して配置された撮影モードダイヤル２２については、図２を参照して説明する。
【００２７】
　さらに、このデジタルカメラ１０の左側面の下方には、上から順に、写真撮影によって得られた画像データをパーソナルコンピュータなどに送信する際に使用されるＵｎｉｖｅｒｓａｌ　Ｓｅｒｉａｌ　Ｂｕｓ（ＵＳＢ）ケーブルが接続されるＵＳＢ端子１６、およびデジタルカメラ１０に外部電源を供給する際に使用される電源ケーブルが接続される電源入力端子１７が備えられている。
【００２８】
　図２は、図１に示すデジタルカメラを背面斜め上から見た外観斜視図である。
【００２９】
　このデジタルカメラ１０の背面には、光学式ファインダ接眼窓１４ｂ、画像や日時を表示する液晶ディスプレイ（Ｌｉｑｕｉｄ　Ｃｒｙｓｔａｌ　Ｄｉｓｐｌａｙ：ＬＣＤ）パネル１８、ＬＣＤパネル１８による画像表示をオン／オフするためのＬＣＤパネル起動ボタン１９、バリエーションの選択およびズームを行なう際に操作される十字キー２０、例えば日付や日時の設定などといったメニューをＬＣＤパネル１８上に表示させたり、そのメニューを確定する際に使用されるメニュー／ＯＫスイッチ２１、本発明にいうモード切替部の機能の一例を示す撮影モードダイヤル２２、写真撮影を行う“撮影記録”機能と、写真撮影されて記録された画像データを再生する“画像データ再生”機能とのうちのいずれかの機能を選択する際に使用される機能選択レバー２３、および、機能選択レバー２３の軸上に設けられたメインスイッチ２４が備えられている。
【００３０】
　このデジタルカメラ１０では、機能選択レバー２３を上側にもっていくことによって“撮影記録”機能が選択され、機能選択レバー２３を下側にもっていくことによって“画像データ再生”機能が選択される。また、この機能選択レバー２３によって“撮影記録”機能が選択されている場合には、撮影モードダイヤル２２を回転させることによって、人物を撮影するのに適した“人物撮影”モード、風景を撮影するのに適した“風景撮影”モード、動きの速い被写体を撮影するのに適した“スポーツ”モード、シャッタレリーズボタン１５が押下されてから実際に撮影されるまでに時差を与える“セルフタイマ”モード、および撮影者自身を撮影するのに適した“自己撮影”モードのうちのいずれかのモードを選択することができる。さらに、撮影モードダイヤル２２によって“人物撮影”モードが選択されている場合には、この撮影モードダイヤル２２を押下することによって、後述する“撮影メモリ”モードが選択される。
【００３１】
　図３は、図１，図２に示すデジタルカメラの機能を示す内部ブロック図である。
【００３２】
　図１，図２に示すデジタルカメラ１０の内部には、図３に示すように、上述した撮影レンズ１１を経由した被写体の像が結像されるＣＣＤ固体撮像素子１１１、フラッシュ発光窓１３から発光され被写体で反射して戻ってきた反射光を受光する調光センサ１１２、例えば、ＣＣＤ固体撮像素子１１１に結像された被写体の像のホワイトバランスを自動調整したり、調光センサ１１２が受光した反射光の光量に応じてフラッシュ発光窓１３からの発光を停止させるデジタルカメラ制御部１１３が備えられいる。さらに、このデジタルカメラ１０の内部には、ＬＣＤパネル１８による画像等の表示を制御する表示制御部１１５、メモリ３００が装填され、その装填されたメモリ３００に画像データを記録する記録制御部１１６、ＵＳＢケーブル４００がＵＳＢ端子１６（図１参照）に接続され、パーソナルコンピュータなどといった外部機器との画像データの送受信を担うＵＳＢインタフェース１１７、ＲＯＭ／ＲＡＭ１１８が備えられいる。
【００３３】
　ここで、ＣＣＤ固体撮像素子１１１およびデジタルカメラ制御部１１３は、ＣＣＤ固体撮像素子１１１で得られた画像データに基づいて被写体のコントラストを検出することにより被写体までの距離を測定する機能や、同じくＣＣＤ固体撮像素子１１１で得られた画像データのレベルに基づいて被写体の輝度を測定する機能も担っており、本発明にいう距離測定部および輝度測定部の機能の一例を示すものである。また、ＲＯＭ／ＲＡＭ１１８は、図２に示す撮影モードダイヤル２２によって“撮影メモリ”モードが選択されている場合において、後述する構図決定操作を行った時点で測定された距離や輝度を一旦記憶したり、構図決定操作に応じて構図を表すフリーズ画像データを得て一旦記憶する機能も担っている。
【００３４】
　さらに、このデジタルカメラ１０には、このデジタルカメラ１０全体の制御を行う中央制御部１１９と、図２に示すＬＣＤパネル起動ボタン１９、十字キー２０、メニュー／ＯＫスイッチ２１、撮影モードダイヤル２２、機能選択レバー２３、およびメインスイッチ２４からなる操作スイッチ群１１４と、図１，図２に示すシャッタレリーズボタン１５とが備えられており、操作スイッチ群１１４を操作して所望の撮影準備状態に設定し、シャッタレリーズボタン１５を押下することによって写真撮影が行われる。
【００３５】
　このシャッタレリーズボタン１５は、半押し状態と全押し状態との２段の押下状態をとるボタンであり、半押しにより被写体距離および被写体輝度が測定され、全押しにより、半押しの際に測定された被写体距離にピントが合うとともにその半押しの際に測定された被写体輝度に応じた露光量の撮影が行なわれる。ただし、“撮影メモリ”モードが選択されているときは、構図決定操作におけるシャッタレリーズボタン１５の半押し時に被写体距離および被写体輝度が測定され、その構図決定操作に測定された被写体距離および被写体輝度が本撮影操作における撮影に反映される。詳細は後述する。
【００３６】
　ここで、この中央制御部１１９は、ＣＣＤ固体撮像素子１１１で測定された距離に応じてピント調整を行う機能や、ＣＣＤ固体撮像素子１１１で測定された輝度に応じた露光調節を行う機能も担っており、本発明にいうピント調整部および露光調節部の機能の一例を示すものである。
【００３７】
　ここで、図２に示す撮影モードダイヤル２２によって“風景撮影”モード、“スポーツ”モード、“セルフタイマ”モード、および“自己撮影”モードが選択されている場合は、本発明の主題ではなく、以下、本発明にいう撮影メモリモードの一例である、撮影モードダイヤル２２によって“人物撮影”モードが選択されている場合において、この撮影モードダイヤル２２が押下されることにより選択される“撮影メモリ”モードについてさらに説明する。
【００３８】
　図４は、“撮影メモリ”モードおける写真撮影の流れを説明するフローチャートである。
【００３９】
　まず、図２に示す撮影モードダイヤル２２を回転させることによって“人物撮影”モードを選択する（ステップＳ１）。
【００４０】
　次に、その撮影モードダイヤル２２を押下し、押下された状態を保持することによって“撮影メモリ”モードを選択する（ステップＳ２）。尚、撮影モードダイヤル２２が押下された状態から解放することによって、この“撮影メモリ”モードが解除され、通常の“人物撮影”モードが選択される。
【００４１】
　ここで、図５は、ステップＳ２によって“撮影メモリ”モードが選択された時の、ＬＣＤパネルに表示される画面の表示例を示す図である。
【００４２】
　ここでは、図３に示すＣＣＤ固体撮像素子１１１上に現在結像している被写体像を表すスルー画像データに基づくスルー画像とともに、図４に示すステップＳ２で“撮影メモリ”モードが選択されたことを受けて“撮影メモリ”の文字が、図２，図３に示すＬＣＤパネル１８に表示された例が示されている。
【００４３】
　次に、ステップＳ２で“撮影メモリ”モードが選択された状態で所望の構図を決定し、本発明にいう構図決定操作の一例である、図１，図２に示すシャッタレリーズボタン１５の半押し操作を行うことによって、その半押し操作時の被写体までの距離および輝度が測定され、測定された距離および輝度が図３に示すＲＯＭ／ＲＡＭ１１８に記憶される。また、シャッタレリーズボタン１５を全押しするとその全押しされたときの構図を表すフリーズ画像データが図３に示すＲＯＭ／ＲＡＭ１１８に記憶される。さらに、この全押し操作を行った後、後述する本撮影操作を行うまでの間、この全押し操作により得られたフリーズ画像データに基づく構図と、図３に示すＣＣＤ固体撮像素子１１１上に現在結像している被写体像を表すスルー画像データに基づくスルー画像とを重畳して、図２，図３に示すＬＣＤパネル１８に表示する（ステップＳ３）。
【００４４】
　ここでは、シャッタレリーズボタン１５を半押した段階で被写体距離および被写体輝度が測定され、全押した段階で構図を表わすフリーズ画像データが取り込まれるため、カメラをピントや明るさを合わせたい被写体に向けてシャッタレリーズボタン１５を半押しし、その後カメラの向きを変えて全押しすることにより、ピント等を必ずしも構図の中央に合わせる必要がなく、ピント等と構図を独立に調整することができる。
【００４５】
　ここで、図６は、ステップＳ３によって、構図とスルー画像とがＬＣＤパネルに重畳して表示される画面の表示例を示す図である。
【００４６】
　ここでは、フリーズ画像データに基づく構図が破線で表され、スルー画像データに基づくスルー画像が実線で表されており、構図とスルー画像とが、図２，図３に示すＬＣＤパネル１８に重畳して表示された例が示されている。
【００４７】
　次に、シャッタレリーズボタン１５がステップＳ３で押下された状態から解放する（ステップＳ４）。
【００４８】
　また、ステップＳ２からステップＳ４までの間押下され続けた撮影モードダイヤル２２も、押下された状態から解放する（ステップＳ５）。尚、このステップＳ５で撮影モードダイヤル２２が押下された状態から解放した後に、撮影モードダイヤル２２を再度押下する（ステップＳ１０）ことによって、ステップＳ２からステップＳ５までの操作が全て無効となって“撮影メモリ”モードが解除され、通常の“人物撮影”モードが選択される。（ステップＳ１１）
　次に、第三者に撮影を依頼して（ステップＳ６）、撮影依頼者が構図の中に入り、その第三者が、構図とスルー画像とが重畳して表示されたＬＣＤパネル１８上で構図を確認した上で、本発明にいう本撮影操作の一例である、シャッタレリーズボタン１５の押下操作を行うことによって、ステップＳ３でＲＯＭ／ＲＡＭ１１８に記憶された距離に応じたピント調整と、ステップＳ３でＲＯＭ／ＲＡＭ１１８に記憶された輝度に応じた露光調節とが、図３に示す中央制御部１１９で行われ、“撮影メモリ”モードおける写真撮影が完了する（ステップＳ７）。
【００４９】
　ここで、図７は、ステップＳ７によって、構図とスルー画像とが重畳して表示されたＬＣＤパネル１８上で第三者が構図とスルー画像とを合致させた時の、ＬＣＤパネルに表示される画面の表示例を示す図である。
【００５０】
　ここでは、構図とスルー画像とが重畳して表示された、図２，図３に示すＬＣＤパネル１８上で第三者が構図とスルー画像とを合致させたことを受けて“撮影ＯＫ”の文字がＬＣＤパネル１８に表示された例が示されている。
【００５１】
　ここで、図２，図３に示すＬＣＤパネル１８および図１に示すセルフタイマＬＥＤ２５は、本発明にいう撮影完了通知部の機能の一例も担っており、ステップＳ７で“撮影メモリ”モードおける写真撮影が完了すると、ＬＣＤパネル１８に“撮影完了”の文字が表示されることによって撮影者である第三者に撮影完了を通知するとともに、セルフタイマＬＥＤ２５が点滅して被写体となった撮影依頼者にも撮影完了が通知される（ステップＳ８）。
【００５２】
　また、ステップＳ７で“撮影メモリ”モードおける写真撮影が完了すると、“撮影メモリ”モードが解除され、通常の“人物撮影”モードが選択される（ステップＳ９）。
【００５３】
　以上説明したように、本実施形態のデジタルカメラは、構図決定操作を行った後本撮影操作を行うまでの間、構図とスルー画像とを重畳して画像表示部に表示されるものであるため、撮影を依頼された第三者が、構図決定操作が行われることによって表示された構図にスルー画像を合致させてシャッタレリーズボタンを押下することによって、第三者に撮影を依頼した撮影依頼者は狙い通りの構図の写真を得ることができる。また、本実施形態のデジタルカメラは、構図決定操作を行った時点で被写体までの距離が測定されて、本撮影操作では、構図決定操作を行った時点で測定された距離に応じたピント調整を行うものであるため、撮影を依頼された第三者が、上述した構図とスルー画像とを合致させてシャッタレリーズボタンを押下するにあたって、そのカメラのフォーカスポイントを意識しなくても、被写体にピントが合致した写真を撮影することができる。また、本実施形態のデジタルカメラは、構図決定操作を行った時点で被写体の輝度が測定されて、本撮影操作では、構図決定操作を行った時点で測定された輝度に応じた露光調整を行うものであるため、撮影を依頼された第三者が、上述した構図とスルー画像とを合致させてシャッタレリーズボタンを押下するにあたって、被写体の輝度を意識しなくても、被写体の輝度に応じた露光が調整された写真を撮影することができる。さらに、本実施形態のデジタルカメラは、撮影者あるいは被写体となった人物が撮影完了を確認することができるため、撮影を依頼された第三者によってシャッタレリーズボタンが完全に押下されない場合に写真が得られないなどといった失敗を防止することができる。
【図面の簡単な説明】
【００５４】
【図１】本発明の第１実施形態のカメラを前面斜め上から見た外観斜視図である。
【図２】図１に示すカメラを背面斜め上から見た外観斜視図である。
【図３】図１，図２に示すカメラの機能を示す内部ブロック図である。
【図４】“撮影メモリ”モードおける写真撮影の流れを説明するフローチャートである。
【図５】ステップＳ２によって“撮影メモリ”モードが選択された時の、ＬＣＤパネルに表示される画面の表示例を示す図である。
【図６】ステップＳ３によって、構図とスルー画像とがＬＣＤパネルに重畳して表示される画面の表示例を示す図である。
【図７】ステップＳ７によって、構図とスルー画像とが重畳して表示されたＬＣＤパネル１８上で第三者が構図とスルー画像とを合致させた時の、ＬＣＤパネルに表示される画面の表示例を示す図である。
【符号の説明】
【００５５】
　１０　　カメラ
　１１　　撮影レンズ
　１２　　フラッシュ調光窓
　１３　　フラッシュ発光窓
　１４ａ　　光学式ファインダ対物窓
　１４ｂ　　光学式ファインダ接眼窓
　１５　　シャッタレリーズボタン
　１６　　ＵＳＢ端子
　１７　　電源入力端子
　１８　　ＬＣＤパネル
　１９　　ＬＣＤパネル起動ボタン
　２０　　十字キー
　２１　　メニュー／ＯＫスイッチ
　２２　　撮影モードダイヤル
　２３　　機能選択レバー
　２４　　メインスイッチ
　２５　　セルフタイマＬＥＤ
　１１１　　ＣＣＤ固体撮像素子
　１１２　　調光センサ
　１１３　　カメラ制御部
　１１４　　操作スイッチ群
　１１５　　表示制御部
　１１６　　記録制御部
　１１７　　ＵＳＢインタフェース
　１１８　　ＲＯＭ／ＲＡＭ
　１１９　　中央制御部
　３００　　メモリ
　４００　　ＵＳＢケーブル
【図１】
2004140798.tif 000003
【図２】
2004140798.tif 000004
【図３】
2004140798.tif 000005
【図４】
2004140798.tif 000006
【図５】
2004140798.tif 000007
【図６】
2004140798.tif 000008
【図７】
2004140798.tif 000009